(57)【特許請求の範囲】
【請求項１】
画像信号を入力する入力手段と、
上記入力手段で入力した画像信号に応じた画像を形成して表示する画像表示手段と、
上記画像表示手段で表示する画像の表示範囲の形状を、複数種類の図形形状の中から指定する指定手段と、
上記指定手段で指定した表示範囲の形状に対応して、上記画像表示手段で形成する画像を補正する画像補正手段と、
上記画像補正手段で補正した画像を上記画像表示手段で表示させる表示制御手段と
を具備し、
上記指定手段は、上記表示範囲の形状を円形、楕円形または正多角形の中から指定することを特徴とする表示制御装置。
【請求項２】
画像信号を入力する入力手段と、
上記入力手段で入力した画像信号に応じた画像を形成して表示する画像表示手段と、
上記画像表示手段で表示する画像の表示範囲の形状を、複数種類の図形形状の中から指定する指定手段と、
上記指定手段で指定した表示範囲の形状に対応して、上記画像表示手段で形成する画像を補正する画像補正手段と、
上記画像補正手段で補正した画像を上記画像表示手段で表示させる表示制御手段と
を具備し、
上記指定手段は、上記表示範囲の形状を円形または楕円形と指定し、上記表示範囲の中心位置を指定することを特徴とする表示制御装置。
【請求項３】
上記表示制御手段は、上記指定手段で指定した中心位置に基づいて表示範囲の大きさを順次変化させ、変化の停止を指示する操作を受付けた時点で表示範囲を確定することを特徴とする請求項２記載の表示制御装置。
【請求項４】
画像信号を入力する入力手段と、
上記入力手段で入力した画像信号に応じた画像を形成して表示する画像表示手段と、
上記画像表示手段で表示する画像の表示範囲の形状を、複数種類の図形形状の中から指定する指定手段と、
上記指定手段で指定した表示範囲の形状に対応して、上記画像表示手段で形成する画像を補正する画像補正手段と、
上記画像補正手段で補正した画像を上記画像表示手段で表示させる表示制御手段と
を具備し、
上記指定手段は、表示順序を合わせて指定し、
上記画像補正手段は、上記指定手段で指定した表示順序に基づいて、表示範囲の形状を時間の経過と共に変化させる
ことを特徴とする表示制御装置。
【請求項５】
画像信号を入力する入力手段と、
上記入力手段で入力した画像信号に応じた画像を形成する画像表示手段と、
上記画像表示手段で表示する画像の表示範囲の形状を、位置座標を指示することで指定する指定手段と、
上記指定手段で指定した表示範囲の形状に対応して、上記画像表示手段で形成する画像を補正する画像補正手段と、
上記画像補正手段で補正した画像を上記画像表示手段で表示させる表示制御手段と
を具備し、
上記指定手段は、表示順序を合わせて指定し、
上記画像補正手段は、上記指定手段で指定した表示順序に基づいて、表示範囲の形状を時間の経過と共に変化させる
ことを特徴とする表示制御装置。
【請求項６】
上記指定手段は、上記表示範囲を示す位置座標を指定することで、矩形または多角形の表示範囲を指定することを特徴とする請求項５記載の表示制御装置。
【請求項７】
上記指定手段は、上記表示範囲の形状を規定するｎ（ｎ：３以上の自然数）個の頂点の位置座標を指示することで、ｎ角形の表示範囲を指定することを特徴とする請求項５または６記載の表示制御装置。
【請求項８】
上記指定手段は、画像の表示形態を合わせて指定し、
上記画像補正手段は、上記指定手段での画像の表示形態の指定に基づき、上記入力手段で入力した画像信号に応じた画像のうち上記表示範囲を外れる画像は表示しないか、または上記表示範囲の形状内で、上記入力手段で入力した画像信号に応じた画像を全て表現するべく、当該画像を補正する
ことを特徴とする請求項１乃至７何れか記載の表示制御装置。
【請求項９】
上記指定手段は、上記画像表示手段で表示した画像から得られる位置座標の情報を受付け、受付けた位置座標の情報により上記表示範囲の形状を指定することを特徴とする請求項１乃至８何れか記載の表示制御装置。
【請求項１０】
入力された画像の画像範囲の形状を、複数種類の図形形状の中から指定する指定手段と、
上記指定手段で指定した画像範囲の形状に対応して、画像を補正する画像補正手段と、
を具備し、
上記指定手段は、上記画像範囲の形状を円形、楕円形または正多角形の中から指定することを特徴とする画像処理装置。
【請求項１１】
入力された画像の画像範囲の形状を、複数種類の図形形状の中から指定する指定手段と、
上記指定手段で指定した画像範囲の形状に対応して、画像を補正する画像補正手段と、
を具備し、
上記指定手段は、上記画像範囲の形状を円形または楕円形と指定し、上記画像範囲の中心位置を指定することを特徴とする画像処理装置。
【請求項１２】
入力された画像の画像範囲の形状を、複数種類の図形形状の中から指定する指定手段と、
上記指定手段で指定した画像範囲の形状に対応して、画像を補正する画像補正手段と、
を具備し、
上記指定手段は、表示順序を合わせて指定し、
上記画像補正手段は、上記指定手段で指定した表示順序に基づいて、画像範囲の形状を時間の経過と共に変化させる
ことを特徴とする画像処理装置。
【請求項１３】
入力された画像の画像範囲の形状を、位置座標を指示することで指定する指定手段と、
上記指定手段で指定した画像範囲の形状に対応して、画像を補正する画像補正手段と、
を具備し、
上記指定手段は、表示順序を合わせて指定し、
上記画像補正手段は、上記指定手段で指定した表示順序に基づいて、表示範囲の形状を時間の経過と共に変化させる
ことを特徴とする画像処理装置。
【請求項１４】
入力された画像の画像範囲の形状を、複数種類の図形形状の中から指定する指定工程と、
上記指定工程で指定した画像範囲の形状に対応して、画像を補正する画像補正工程と、
を有し、
上記指定工程は、上記画像範囲の形状を円形、楕円形または正多角形の中から指定することを特徴とする画像制御方法。
【請求項１５】
入力された画像の画像範囲の形状を、複数種類の図形形状の中から指定する指定工程と、
上記指定工程で指定した画像範囲の形状に対応して、画像を補正する画像補正工程と、
を有し、
上記指定工程は、上記画像範囲の形状を円形または楕円形と指定し、上記画像範囲の中心位置を指定することを特徴とする画像制御方法。
【請求項１６】
入力された画像の画像範囲の形状を、複数種類の図形形状の中から指定する指定工程と、
上記指定工程で指定した画像範囲の形状に対応して、画像を補正する画像補正工程と、
を有し、
上記指定工程は、表示順序を合わせて指定し、
上記画像補正工程は、上記指定工程で指定した表示順序に基づいて、表示範囲の形状を時間の経過と共に変化させる
ことを特徴とする画像制御方法。
【請求項１７】
入力された画像の画像範囲の形状を、位置座標を指示することで指定する指定工程と、
上記指定工程で指定した画像範囲の形状に対応して、画像を補正する画像補正工程と、
を有し、
上記指定工程は、表示順序を合わせて指定し、
上記画像補正工程は、上記指定工程で指定した表示順序に基づいて、表示範囲の形状を時間の経過と共に変化させる
ことを特徴とする画像制御方法。
【請求項１８】
コンピュータが実行するプログラムであって、
上記コンピュータを、
入力された画像の画像範囲の形状を、複数種類の図形形状の中から指定する指定手段、
上記指定手段で指定した画像範囲の形状に対応して、画像を補正する画像補正手段
として機能させ、
上記指定手段は、上記画像範囲の形状を円形、楕円形または正多角形の中から指定することを特徴とするプログラム。
【請求項１９】
コンピュータが実行するプログラムであって、
上記コンピュータを、
入力された画像の画像範囲の形状を、複数種類の図形形状の中から指定する指定手段、
上記指定手段で指定した画像範囲の形状に対応して、画像を補正する画像補正手段
として機能させ、
上記指定手段は、上記画像範囲の形状を円形または楕円形と指定し、上記画像範囲の中心位置を指定することを特徴とするプログラム。
【請求項２０】
コンピュータが実行するプログラムであって、
上記コンピュータを、
入力された画像の画像範囲の形状を、複数種類の図形形状の中から指定する指定手段、
上記指定手段で指定した画像範囲の形状に対応して、画像を補正する画像補正手段
として機能させ、
上記指定手段は、表示順序を合わせて指定し、
上記画像補正手段は、上記指定手段で指定した表示順序に基づいて、画像範囲の形状を時間の経過と共に変化させる
ことを特徴とするプログラム。
【請求項２１】
コンピュータが実行するプログラムであって、
上記コンピュータを、
入力された画像の画像範囲の形状を、位置座標を指示することで指定する指定手段、
上記指定手段で指定した画像範囲の形状に対応して、画像を補正する画像補正手段
として機能させ、
上記指定手段は、表示順序を合わせて指定し、
上記画像補正手段は、上記指定手段で指定した表示順序に基づいて、表示範囲の形状を時間の経過と共に変化させる
ことを特徴とするプログラム。
【発明の詳細な説明】
【技術分野】
【０００１】
本発明は、表示制御装置、画像制御装置、画像制御方法及びプログラムに関する。
【背景技術】
【０００２】
近年、例えば矩形のスクリーンや矩形のディスプレイに対して画像を全面に表示するだけでなく、屋外の壁面や自動車の車体等に画像を表示するなど、多様な環境下において、様々な表示範囲の形状で画像を表示する方法が模索されている。
【０００３】
表示する画像を変形する技術として、装置が備えるタッチパッド上の手指操作で台形を構成する各頂点位置を任意に移動するようにした技術が考えられている。（例えば、特許文献１）
【先行技術文献】
【特許文献】
【０００４】
【特許文献１】特開２０１０−１９７８４３号公報
【発明の概要】
【発明が解決しようとする課題】
【０００５】
しかし、上記特許文献に記載された技術は、表示画像の形状が矩形であることを前提とした上で、プロジェクタとスクリーン面との相対位置関係に伴う台形歪みを補正するべく考えられたものである。従って、上記技術は投影画像の形状については矩形とすることしか考慮がなされていない。
【０００６】
本発明は上記のような実情に鑑みてなされたもので、その目的とするところは、画像の表示範囲の形状を自由に変更することが可能な表示制御装置、画像制御装置、画像制御方法及びプログラムを提供することにある。
【課題を解決するための手段】
【０００７】
本発明の一態様は、画像信号を入力する入力手段と、上記入力手段で入力した画像信号に応じた画像を形成して表示する画像表示手段と、上記画像表示手段で表示する画像の表示範囲の形状を、複数種類の図形形状の中から指定する指定手段と、上記指定手段で指定した表示範囲の形状に対応して、上記画像表示手段で形成する画像を補正する画像補正手段と、上記画像補正手段で補正した画像を上記画像表示手段で表示させる表示制御手段とを具備し、上記指定手段は、上記表示範囲の形状を円形、楕円形または正多角形の中から指定することを特徴とする。
本発明の他の一態様は、画像信号を入力する入力手段と、上記入力手段で入力した画像信号に応じた画像を形成して表示する画像表示手段と、上記画像表示手段で表示する画像の表示範囲の形状を、複数種類の図形形状の中から指定する指定手段と、上記指定手段で指定した表示範囲の形状に対応して、上記画像表示手段で形成する画像を補正する画像補正手段と、上記画像補正手段で補正した画像を上記画像表示手段で表示させる表示制御手段とを具備し、上記指定手段は、上記表示範囲の形状を円形または楕円形と指定し、上記表示範囲の中心位置を指定することを特徴とする。
本発明の他の一態様は、画像信号を入力する入力手段と、上記入力手段で入力した画像信号に応じた画像を形成して表示する画像表示手段と、上記画像表示手段で表示する画像の表示範囲の形状を、複数種類の図形形状の中から指定する指定手段と、上記指定手段で指定した表示範囲の形状に対応して、上記画像表示手段で形成する画像を補正する画像補正手段と、上記画像補正手段で補正した画像を上記画像表示手段で表示させる表示制御手段とを具備し、上記指定手段は、表示順序を合わせて指定し、上記画像補正手段は、上記指定手段で指定した表示順序に基づいて、表示範囲の形状を時間の経過と共に変化させることを特徴とする。
【０００８】
本発明の他の一態様は、画像信号を入力する入力手段と、上記入力手段で入力した画像信号に応じた画像を形成する画像表示手段と、上記画像表示手段で表示する画像の表示範囲の形状を、位置座標を指示することで指定する指定手段と、上記指定手段で指定した表示範囲の形状に対応して、上記画像表示手段で形成する画像を補正する画像補正手段と、上記画像補正手段で補正した画像を上記画像表示手段で表示させる表示制御手段とを具備し、上記指定手段は、表示順序を合わせて指定し、上記画像補正手段は、上記指定手段で指定した表示順序に基づいて、表示範囲の形状を時間の経過と共に変化させることを特徴とする。
【発明の効果】
【０００９】
本発明によれば、画像の表示範囲の形状を自由に変更することが可能となる。
【図面の簡単な説明】
【００１０】
【図１】本発明の一実施形態に係る投影システムの接続構成を示す図。
【図２】同実施形態に係るプロジェクタの機能構成を示すブロック図。
【図３】同実施形態に係るポイントペンの機能構成を示すブロック図。
【図４】同実施形態に係る主として投影範囲の変更設定に関する処理内容を示すフローチャート。
【図５】同実施形態に係る「ｍｅｎｕ」画面のサブメニュー項目中から投影範囲の形状の選択画面を投影させた状態を例示する図。
【図６】同実施形態に係る投影範囲の形状の設定例を示す図。
【図７】同実施形態に係る投影範囲の形状の設定例を示す図。
【図８】同実施形態に係る投影範囲の形状の設定例を示す図。
【発明を実施するための形態】
【００１１】
以下本発明をＤＬＰ（登録商標）方式のプロジェクタに適用した場合の一実施形態について図面を参照して説明する。  
図１は本実施形態に係る投影環境を例示する。同図で１がプロジェクタである。プロジェクタ１は、例えばＰＣなどの図示しない外部機器を接続し、あるいはドキュメントファイルを格納したＵＳＢ（Ｕｎｉｖｅｒｓａｌ  Ｓｅｒｉａｌ  Ｂｕｓ）メモリを装着することで、画像投影すべき画像が入力可能となる。プロジェクタ１は、上記した画像信号に応じた投影画像ＰＩをスクリーンに投影する。
【００１２】
３はプロジェクタ１専用のポイントペンであり、プロジェクタ１とポイントペン３の間は例えばＢｌｕｅｔｏｏｔｈ（登録商標）技術により無線接続される。プロジェクタ１が投影する投影画像ＰＩには、ＰＣまたはＵＳＢ（Ｕｎｉｖｅｒｓａｌ  Ｓｅｒｉａｌ  Ｂｕｓ）メモリから提供される画像に加えて、位置検出用の画像が時分割で含まれている。
【００１３】
ポイントペン３は内部にプロジェクタ１との通信系回路と、受光強度（輝度）から位置座標を算出する演算回路を備え、投影画像ＰＩ内の任意の位置をポイントとすることにより、そのポイント位置の輝度から位置座標を算出し、ポイント指示の座標情報としてプロジェクタ１に送信する。
【００１４】
プロジェクタ１では、受信したポイントペン３の座標情報に基づいて、投影画像ＰＩ中にポイントマークＰＴの画像が重畳されるような画像信号を生成して投影する。  
したがって、ポイントペン３を把持するユーザは、あたかもポイントペン３から直接ポイントマークＰＴの形状をした光が出射しているような感覚でポイントペン３を操作することができる。
【００１５】
図２は上記プロジェクタ１の概略機能構成を示す図である。  
入出力部１１は、例えばビデオ入力端子、ＲＧＢ入力端子、ＶＧＡ端子、ＵＳＢ端子などにより構成される。入出力部１１に入力された画像信号は、必要に応じてデジタル化された後に、システムバスＳＢを介して画像変換部１２に送られる。
【００１６】
画像変換部１２は、スケーラとも称され、入力される画像データを投影に適した所定のフォーマットの画像データに統一して投影処理部１３へ送る。
【００１７】
この際、上記ポイントマークＰＴを含むＯＳＤ（Ｏｎ  Ｓｃｒｅｅｎ  Ｄｉｓｐｌａｙ）用の各種動作状態を示すシンボル等のデータも必要に応じて画像変換部１２が画像データに重畳加工し、加工後の画像データを投影処理部１３へ送る。
【００１８】
投影処理部１３は、送られてきた画像データに応じて、所定のフォーマットに従ったフレームレート、例えば１２０［フレーム／秒］と色成分の分割数、及び表示階調数を乗算した、より高速な時分割駆動により、空間的光変調素子であるマイクロミラー素子１４を表示するべく駆動する。
【００１９】
このマイクロミラー素子１４は、当該マイクロミラー素子の有効画素領域にアレイ状に配列された複数、例えばＷＸＧＡ（Ｗｉｄｅ  ｅＸｔｅｎｄｅｄ  Ｇｒａｐｈｉｃ  Ａｒｒａｙ）（横１２８０画素×縦８００画素）分の微小ミラーの各傾斜角度を個々に高速でオン／オフ動作して画像を表示することで、その反射光により光像を形成する。
【００２０】
このときマイクロミラー素子１４で表示する画像には、ポイントペン３のポイント位置検出用画像が上記入出力部１１で入力された画像信号に応じた画像に代えて、時分割で、適宜頻度で含まれる。
【００２１】
一方で、光源部１５から時分割でＲ，Ｇ，Ｂの原色光を含む複数色の光が循環的に時分割で順次出射される。この光源部１５からの光が、ミラー１６で全反射して上記マイクロミラー素子１４に照射される。
【００２２】
そして、マイクロミラー素子１４での反射光で光源光の色に応じた光像が形成され、形成された光像が投影レンズ部１７を介して、投影対象となるここでは図示しないスクリーンに投影表示される。
【００２３】
上記各回路の動作すべてをＣＰＵ１８が制御する。このＣＰＵ１８は、メインメモリ１９及びプログラムメモリ２０と直接接続される。メインメモリ１９は、例えばＳＲＡＭで構成され、ＣＰＵ１８のワークメモリとして機能する。プログラムメモリ２０は、電気的に書換え可能な不揮発性メモリで構成され、ＣＰＵ１８が実行する動作プログラムや各種定型データ等を記憶する。ＣＰＵ１８は、上記メインメモリ１９及びプログラムメモリ２０を用いて、このプロジェクタ１内の制御動作を統括して実行する。
【００２４】
上記ＣＰＵ１８は、操作部２１からのキー操作信号に応じて各種投影動作を実行する。この操作部２１は、プロジェクタ１の本体に設けられるキー操作部と、このプロジェクタ１専用の図示しないリモートコントローラからの赤外光を受光する赤外線受光部とを含み、ユーザが本体のキー操作部またはリモートコントローラで操作したキーに基づくキー操作信号をＣＰＵ１８へ直接出力する。
【００２５】
プロジェクタ１本体のキー操作部及び専用のリモートコントローラにはいずれも、メニュー項目を選択して各種詳細設定を行なうための「ｍｅｎｕ」キーと、後述するが、画像の表示形態を変更するための専用キーである「表示選択」キーが備えられるものとする。
【００２６】
上記ＣＰＵ１８はさらに、上記システムバスＳＢを介して音声処理部２２、ポインタ通信部２３とも接続される。音声処理部２２は、ＰＣＭ音源等の音源回路を備え、投影動作時に与えられる音声データをアナログ化し、スピーカ部２４を駆動して拡声放音させ、あるいは必要によりビープ音等を発生させる。  
ポインタ通信部２３は、アンテナ２５を介して上記ポイントペン３と無線接続し、ポイントペン３に対して座標情報の取得タイミングを指示するコマンドを送信する一方で、該送信に応答してポイントペン３から送られてくる座標情報やポイントペン３に備えられる各種キーの操作信号等を受信して上記ＣＰＵ１８へ送出する。
【００２７】
次に図３により上記ポイントペン３の機能構成を説明する。  
ポイントペン３の先端に受光レンズ系３１が組込まれており、この受光レンズ系３１の合焦位置に受光素子として例えばフォトトランジスタ３２が配置される。フォトトランジスタ３２の出力信号はＡ／Ｄ変換部３３でデジタル化された後に復調部３４を介して座標算出部３５に送られる。
【００２８】
座標算出部３５は、復調部３４の出力から投影画像ＰＩにおけるポイントペン３のポイント位置を表す位置座標の算出とチェック等を行ない、その算出結果を、バスＢを介してＣＰＵ３６へ出力する。
【００２９】
ＣＰＵ３６は、上記Ａ／Ｄ変換部３３、復調部３４、及び座標算出部３５とこのポイントペン３全体に係る制御動作を司るもので、メインメモリ３７及びプログラムメモリ３８が直接接続される。メインメモリ３７は、ＣＰＵ３６のワークメモリとして機能する。プログラムメモリ３８は、ＣＰＵ３６が実行する動作プログラムや各種定型データを記憶する。ＣＰＵ３６は、上記メインメモリ３７及びプログラムメモリ３８を用いて、このポイントペン３内の制御動作を実行する。
【００３０】
このＣＰＵ３６に対してさらに、クリックキー部３９からキー操作信号が入力される。クリックキー部３９は、例えばポイントペン３の軸方向に沿って配設された、２つのクリックキーそれぞれの操作信号をＣＰＵ３６に出力する。
【００３１】
ここでクリックキー部３９を構成する２つのクリックキーは、例えば図１に示すように、ポイントペン３の先端側に位置する、より操作面積が大きなクリックキー３ａ（マウスポインタの左クリックキーに相当する）と、そのキーに隣接して後方側に位置する、比較的小さなクリックキー３ｂ（マウスポインタの右クリックキーに相当する）とからなるものとする。
【００３２】
さらに上記ＣＰＵ３６は、バスＢを介してプロジェクタ通信部４０とも接続される。このプロジェクタ通信部４０は、アンテナ４１を介して上記プロジェクタ１と無線接続し、指定されたタイミングで取得した上記座標情報やクリックキー部３９の操作信号を送信する。
【００３３】
次に上記実施形態の動作について説明する。  
図４は、上記図１に示したような投影環境下で、入力される画像信号を投影するプロジェクタ１内において、ＣＰＵ１８が実行する、主として画像が投影される範囲である投影範囲（表示範囲）の設定に関するプログラムの処理内容を示す。
【００３４】
図示する如く当該プログラムでは、その時点で設定されている投影範囲の形状にしたがって、ＣＰＵ１８が入出力部１１より入力される画像信号に応じた投影動作を実行しながら（ステップＳ１０１）、操作部２１からのキー入力信号により「ｍｅｎｕ」キーの選択操作がなされたか否かを判断する（ステップＳ１０２）。
【００３５】
ここで、「ｍｅｎｕ」キーの選択操作がなされていないと判断した場合、ＣＰＵ１８は次にその時点で設定されている投影範囲の形状に合わせて、後に詳述する、入力される画像の表示形態を変更させるための「表示選択」キーが操作されたか否かを判断する（ステップＳ１０３）。
【００３６】
この「表示選択」キーも操作されていないと判断した場合、ＣＰＵ１８は上記ステップＳ１０１からの処理に戻る。尚、このフローを辿った場合、入力される画像の表示形態については、現在の設定を維持したままで投影される。  こうしてステップＳ１０１〜Ｓ１０３の処理を繰返し実行することで、その時点に入出力部１１より入力されている画像信号に応じた投影動作を実行しながら、「ｍｅｎｕ」キーまたは「表示選択」キーが操作されるのを待機する。
【００３７】
なお、上記「ｍｅｎｕ」キー及び「表示選択」キーの操作に関しては、上述した如く操作部２１においてプロジェクタ１本体のキー操作部及び専用のリモートコントローラによるキー操作信号を受付けるものとしてもよいし、さらにはポイントペン３のクリックキー３ｂを操作することで、投影画像ＰＩ中の一部に「ｍｅｎｕ」「表示選択」を含む複数の項目名を投影させ、その後のポイント動作とクリックキー３ａ操作に応じていずれかを選択するものとしてもよい。
【００３８】
しかして「ｍｅｎｕ」キーが操作された場合、ＣＰＵ１８は上記ステップＳ１０２でそれを判断し、キー操作に応答して、それまで投影していた入力画像に代えてメインメニューの画像をプログラムメモリ２０から読出し、当該画像をマイクロミラー素子１４で表示して投影レンズ部１７より投影させる（ステップＳ１０４）。
【００３９】
このメインメニューの画面を投影した状態から、さらにサブメニュー中の「投影範囲」項目が選択されるのを待機する（ステップＳ１０５）。
【００４０】
そして上記「投影範囲」項目が選択されると、ＣＰＵ１８はその選択操作に対応して、選択可能な「形状設定項目」をプログラムメモリ２０から読出してその一覧画面を投影させる（ステップＳ１０６）。
【００４１】
図５は、このとき投影画像ＰＩの一部で投影される、投影範囲の形状の一覧画面ＳＷを例示する図である。同図に示すように本実施形態では、投影画像ＰＩの形状を「四角形」「円形」「楕円形」「２点対角設定」及び「ｎ点設定」の候補中から任意に選択可能であるものとする。
【００４２】
ここで「四角形」は、この図５において示す投影画像ＰＩの形状そのものであり、マイクロミラー素子１４の表示面積を最大限に利用し、画像非投影部分を設けない。なお、本図では、現在選択中の投影範囲の形状が「四角形」であることを示すべく、本項目を波線で囲って他と識別するように表現している。
【００４３】
「円形」は、現在の投影画像ＰＩ内の任意位置を中心点として可能な範囲内で必要により半径の大きさを選択して円形の範囲内のみを投影範囲とし、それ以外の範囲をミューティングする。本実施形態では、ポイントマークＰＴが近設しているために本項目「円形」を仮選択しているものとする。
【００４４】
「楕円形」は、現在の投影画像ＰＩ内の任意位置を中心点として可能な範囲内で楕円形の範囲内のみを投影範囲とし、それ以外の範囲をミューティングする。中心位置のみならず、短軸及び長軸もユーザにより設定可能であるものとする。
【００４５】
「２点対角設定」は、現在の投影画像ＰＩ内の任意の２点位置を対角位置とするような四角形の範囲内のみを投影範囲とし、それ以外の範囲をミューティングする。
【００４６】
「ｎ点設定」は、現在の投影画像ＰＩ内の任意複数のｎ点（ｎ：３以上の自然数）を頂点とするｎ角形の範囲内のみを投影範囲とし、それ以外の範囲をミューティングする。
【００４７】
ＣＰＵ１８は、上記図５に示したように投影範囲の形状の一覧画面ＳＷを投影した状態からいずれかの形状が選択されるのを、ポイントペン３のクリックキー３ａが操作されるまで待機する（ステップＳ１０７）。
【００４８】
なお、一覧画面ＳＷを投影した状態からいずれかの形状を選択するかは、例えば、プロジェクタ１本体のキー操作部または専用のリモートコントローラに設けられる十字キー等の操作を受付けることにより、ユーザの意図にしたがった形状の選択を受付けるものであってもよい。
【００４９】
そしていずれかの形状が選択された場合、ステップＳ１０７でそれを判断したＣＰＵ１８は、次いでその選択された形状について、さらに付随して設定すべき項目があるか否かを判断する（ステップＳ１０８）。
【００５０】
ここで付随して設定すべき項目があると判断した場合にのみ、ＣＰＵ１８はその付随した他の項目をユーザの操作に応じて設定する処理を実行する（ステップＳ１０９）。
【００５１】
図６は、上記「円形」形状を選択した場合の設定例を示す。この図６では、投影範囲ＰＲ内のほぼ中央に中心点Ｏを設定した状態を示すもので、中心位置設定後は、付随して設定項目として、設定した中心点Ｏ位置（設定位置）に基づき、拡大と縮小を順次繰返すように円形の投影範囲ＰＲを一定周期で変化させた上で、ポイントペン３のクリックキー３ａの操作があった時点での半径の大きさの投影範囲ＰＲを設定する。
【００５２】
なお、中止位置はポイントペン３により指定するものであっても良いし、プロジェクタ１本体のキー操作部または専用のリモートコントローラに設けた十字キー等の操作を受付けることにより、投影中の画像にポインタ画像を重畳させて、このポインタ画像をユーザの意図に応じて操作できるものとしても良い。
【００５３】
図７は、上記「２点対角設定」形状を選択した場合の設定例を示す。ここでは、本来の矩形の投影画像ＰＩ内の任意の２点位置（設定位置）を対角位置とするような四角形の範囲内のみを投影範囲とし、最初の一点Ｐ１１でポイントペン３のクリックキー３ａをクリックし、クリックキー３ａを操作したままのドラッグ状態で任意の点位置Ｐ１２まで移動させ、所望の点位置に達した時点でクリックキー３ａの操作を解除することで、点Ｐ１１，Ｐ１２を対角線とする矩形の投影範囲ＰＲが設定できる。
【００５４】
なお、２点位置はポイントペン３により指定するものであっても良いし、プロジェクタ１本体のキー操作部または専用のリモートコントローラに設けた十字キー等の操作を受け付けることにより、投影中の画像にポインタ画像を重畳させて、このポインタ画像をユーザの意図に応じて指定できるものとしても良い。
【００５５】
図８は、上記「ｎ点設定」形状を選択した場合の設定例を示す。ここでは、本来の矩形の投影画像ＰＩ内の任意のｎ点位置（設置位置）をそれぞれ頂点とするようなｎ角形の範囲内のみを投影範囲としている。
【００５６】
最初の一点Ｐ２１から３番目の点Ｐ２３までをそれぞれポイントペン３のクリックキー３ａの操作で指定した時点で投影範囲ＰＲが現出し、以後４点目Ｐ２４、５点目Ｐ２５を順次指定することに投影範囲ＰＲの範囲を広めることができる。
【００５７】
全点位置を指定した状態でクリックキー３ａを長押し、あるいはクリックキー３ｂを操作することにより設定終了となる。
【００５８】
なお、ｎ点位置はポイントペン３により指定するものであっても良いし、プロジェクタ１本体のキー操作部または専用のリモートコントローラに設けた十字キー等の操作を受付けることにより、投影中の画像にポインタ画像を重畳させて、このポインタ画像をユーザの意図に応じて指定できるものとしても良い。
【００５９】
上記のように選択した形状により必要に応じて付随項目の設定を終了した後、投影範囲ＰＲ以外の画像を投影しないようにして新たな投影範囲ＰＲでの投影を開始した上で（ステップＳ１１０）、上記ステップＳ１０１からの処理に戻る。そして、この上述した処理の流れを辿って投影した場合、入力される画像の表示形態は、投影範囲ＰＲに合わせて画像を変形させない表示形態となる。
【００６０】
また上記ステップＳ１０３で「表示選択」キーが操作されたと判断した場合、ＣＰＵ１８はその時点ですでに、投影範囲ＰＲに合わせて画像の表示形態が影範囲ＰＲに合わせて画像を変形しているか否かを判断する（ステップＳ１１１）。
【００６１】
ここですでに画像の表示形態が投影範囲ＰＲに合わせて画像を変形していると判断した場合、ＣＰＵ１８はその表示形態の設定を解除し、その時点で設定されている投影範囲ＰＲの範囲から外れる画像非投影部分の画像は投影しないように設定した上で、すなわち上述した表示形態の初期設定に設定を戻した上で（ステップＳ１１２）、再び上記ステップＳ１０１からの処理に戻る。
【００６２】
投影させる画像を歪ませたくない場合には、この画像変形を選択するとよい。この処理の流れを辿った場合、入力される画像の表示形態は必ず投影範囲ＰＲに合わせて画像を変形させない表示形態となる。
【００６３】
また上記ステップＳ１１１で、その時点ではまだ画像の表示形態の変形が投影範囲ＰＲに合わせて画像を変形していないと判断した場合、ＣＰＵ１８はあらためて入力されている画像の表示形態を変更する。すなわち、その時点で設定されている投影範囲ＰＲ内で、入力される画像信号に応じた内容を全て表現するべく、画像変更の設定として対応する画像信号の変形式をプログラムメモリ２０から読出し（ステップＳ１１３）、読出した変形式に基づいて設定されている形状の投影範囲ＰＲでの投影を開始した上で（ステップＳ１１４）、上記ステップＳ１０１からの処理に戻る。
【００６４】
この処理の流れを辿った場合、入力される画像の表示形態は必ず投影範囲ＰＲ内で、入力される画像信号に応じた内容を全て表現するようになる。
【００６５】
なお、ここで説明した画像の表示形態は、設定されている投影範囲ＰＲ内で、入力される画像信号に応じた内容を全て表現するので、投影させたい画像を歪ませることとなる。このように、画像を歪ませても良いから、入力される画像信号に応じた内容を全て投影したい場合にはこの画像の表示形態を選択するとよい。
【００６６】
以上詳述した如く本実施形態によれば、専用のポイントペン３を用いて非常に簡易な操作により投影画像の形状を設定することが可能となる。
【００６７】
また上記実施形態では、例えば四角形の対角位置を示す２点をポイントペン３の操作で指定するなど、既定の形状に関してその投影範囲を示す位置座標を合わせて指定することで、容易に所望する形状の位置指定を実行できる。
【００６８】
さらに上記実施形態では、投影範囲の形状の「ｎ点設定」で示したように投影範囲の形状を規定するｎ（ｎ：３以上の自然数）個の頂点の位置座標を指定することで、それらを頂点とした任意多角形の投影範囲を設定できるため、形状が特雑な投影対象、例えば雪を被った樹木のシルエットに合わせてスクリーンとして設定する場合などでも、設定に要する操作を簡略化できる。
【００６９】
また、入力した画像信号に対して上記指定した投影範囲の形状を外れる範囲の画像は投影しないか、あるいは入力した画像信号を上記指定した投影範囲の形状内で全て表現できるように変形させるか、その何れか一方を選択可能としても良く、そのような動作を可能とすることで、より多彩な表現に基づく投影を実現できる。
【００７０】
加えて上記実施形態では、例えば投影範囲の形状の「円形」で説明したように、中心位置を指定した後、選択した投影範囲の形状のままで随時拡大または縮小する投影範囲ＰＲに対し、所望する大きさとなった時点で必要な操作を行なうことで、大きさの変化を止めて投影範囲ＰＲを設定することができるようにしたので、視覚的にも理解し易い操作で容易に所望する投影範囲ＰＲを設定できる。
【００７１】
なお上記実施形態では、ユーザが任意に投影範囲の形状を選択して設定するものとして説明したが、投影範囲の形状が時間の経過と共にランダムに変化するような動作とし、その投影範囲の形状変化の時間等を任意に設定可能としても良い。
【００７２】
例えば、投影範囲の形状の一覧画面ＳＷに「ランダム投影」という項目を作り、その「ランダム投影」の項目が選択されたら、ユーザが予め決めておいた投影プログラムにしたがって、投影範囲の形状が時間の経過と共にランダムに変化するような動作を設定可能としても良い。
【００７３】
具体的には、「ランダム投影」の項目が選択されたら、まず図６で示した投影範囲の形状で投影し、５分後には図７で示した投影範囲の形状で投影し、その７分後には図８で示した投影範囲の形状で投影する、等が考えられる。
【００７４】
また、表示形態の変形が時間の経過と共にランダムに変化するような構成としても良い。
【００７５】
このような項目を設定可能とすることで、投影形態の多様化を実現できる。
【００７６】
また、例えば投影範囲の形状の一覧画面ＳＷに「記憶形状」という項目を作り、その「記憶形状」の項目が選択されたら、以前にユーザが設定した投影範囲の形状を読出すことができるような構成にしても良い。
【００７７】
また上記実施形態では、ポイントペン３を用いて投影した画像から得られる位置座標を検出可能とし、投影範囲の形状の指定を行なうようにしたので、ユーザの操作性を向上して、より直感的な操作環境を実現できる。
【００７８】
なお本実施形態では、本発明を画像を投影するプロジェクタに適用した場合について説明したが、その他にも本発明を画像を表示するテレビやスマートフォン、ＰＣ、デジタルフォトフレームなどの表示制御装置、あるいは画像を印字するプリンタなどに利用しても良いことは勿論である。
【００７９】
また、上記実施形態に示した投影範囲の形状以外にも、例えば選択できる形として、星型や、三角形、六角形、等種々の形を設定していてもよい。
【００８０】
その他、本発明は上述した実施形態に限定されるものではなく、実施段階ではその要旨を逸脱しない範囲で種々に変形することが可能である。また、上述した実施形態で実行される機能は可能な限り適宜組み合わせて実施しても良い。上述した実施形態には種々の段階が含まれており、開示される複数の構成要件による適宜の組み合せにより種々の発明が抽出され得る。例えば、実施形態に示される全構成要件からいくつかの構成要件が削除されても、効果が得られるのであれば、この構成要件が削除された構成が発明として抽出され得る。
【００８１】
以下に、本願出願の当初の特許請求の範囲に記載された発明を付記する。  
請求項１記載の発明は、画像信号を入力する入力手段と、上記入力手段で入力した画像信号に応じた画像を形成して表示する画像表示手段と、上記画像表示手段で表示する画像の表示範囲の形状を、複数種類の図形形状の中から指定する指定手段と、上記指定手段で指定した表示範囲の形状に対応して、上記画像表示手段で形成する画像を補正する画像補正手段と、上記画像補正手段で補正した画像を上記画像表示手段で表示させる表示制御手段とを具備したことを特徴とする。
【００８２】
請求項２記載の発明は、上記請求項１記載の発明において、上記指定手段は、上記表示範囲の形状を円形、楕円形または正多角形の中から指定することを特徴とする。
【００８３】
請求項３記載の発明は、上記゛いぬ記載の発明において、上記指定手段は、上記表示範囲の形状を円形または楕円形と指定し、上記表示範囲の中心位置を指定することを特徴とする。
【００８４】
請求項４記載の発明は、上記請求項３記載の発明において、上記表示制御手段は、上記指定手段で指定した中心位置に基づいて表示範囲の大きさを順次変化させ、変化の停止を指示する操作を受付けた時点で表示範囲を確定することを特徴とする。
【００８５】
請求項５記載の発明は、画像信号を入力する入力手段と、上記入力手段で入力した画像信号に応じた画像を形成する画像表示手段と、上記画像表示手段で表示する画像の表示範囲の形状を、位置座標を指示することで指定する指定手段と、上記指定手段で指定した表示範囲の形状に対応して、上記画像表示手段で形成する画像を補正する画像補正手段と、上記画像補正手段で補正した画像を上記画像表示手段で表示させる表示制御手段とを具備したことを特徴とする。
【００８６】
請求項６記載の発明は、上記請求項５記載の発明において、上記指定手段は、上記表示範囲を示す位置座標を指定することで、矩形または多角形の表示範囲を指定することを特徴とする。
【００８７】
請求項７記載の発明は、上記請求項５または６記載の発明において、上記指定手段は、上記表示範囲の形状を規定するｎ（ｎ：３以上の自然数）個の頂点の位置座標を指示することで、ｎ角形の表示範囲を指定することを特徴とする。
【００８８】
請求項８記載の発明は、上記請求項１乃至７何れか記載の発明において、上記指定手段は、画像の表示形態を合わせて指定し、上記画像補正手段は、上記指定手段での画像の表示形態の指定に基づき、上記入力手段で入力した画像信号に応じた画像のうち上記表示範囲を外れる画像は表示しないか、または上記表示範囲の形状内で、上記入力手段で入力した画像信号に応じた画像を全て表現するべく、当該画像を補正することを特徴とする。
【００８９】
請求項９記載の発明は、上記請求項１乃至８何れか記載の発明において、上記指定手段は、表示順序を合わせて指定し、上記画像補正手段は、上記指定手段で指定した表示順序に基づいて、表示範囲の形状を時間の経過と共に変化させることを特徴とする。
【００９０】
請求項１０記載の発明は、上記請求項１乃至８何れか記載の発明において、上記指定手段は、上記表示手段で表示した画像から得られる位置座標の情報を受付け、受付けた位置座標の情報により上記表示範囲の形状を指定することを特徴とする。
【００９１】
請求項１１記載の発明は、画像信号を入力する入力部、及び上記入力部で入力した画像信号に応じた画像を形成して表示する画像表示部を備えた装置での表示制御方法であって、上記画像表示部で表示する画像の表示範囲の形状を、複数種類の図形形状の中から指定する指定工程と、上記指定工程で指定した表示範囲の形状に対応して、上記画像表示部で形成する画像を補正する画像補正工程と、上記画像補正工程で補正した画像を上記画像表示部で表示させる表示制御工程とを有したことを特徴とする。
【００９２】
請求項１２記載の発明は、画像信号を入力する入力部、及び上記入力部で入力した画像信号に応じた画像を形成する画像表示部を備えた装置での表示制御方法であって、上記画像表示部で表示する画像の表示範囲の形状を、位置座標を指示することで指定する指定工程と、上記指定工程で指定した表示範囲の形状に対応して、上記画像表示部で形成する画像を補正する画像補正工程と、上記画像補正工程で補正した画像を上記画像表示部で表示させる表示制御工程とを有したことを特徴とする。
【００９３】
請求項１３記載の発明は、画像信号を入力する入力部、及び上記入力部で入力した画像信号に応じた画像を形成して表示する画像表示部を備えた装置が内蔵したコンピュータが実行するプログラムであって、上記コンピュータを、上記画像表示部で表示する画像の表示範囲の形状を、複数種類の図形形状の中から指定する指定手段、上記指定手段で指定した表示範囲の形状に対応して、上記画像表示部で形成する画像を補正する画像補正手段、及び上記画像補正手段で補正した画像を上記画像表示部で表示させる表示制御手段として機能させることを特徴とする。
【００９４】
請求項１４記載の発明は、画像信号を入力する入力部、及び上記入力部で入力した画像信号に応じた画像を形成して表示する画像表示部を備えた装置が内蔵したコンピュータが実行するプログラムであって、上記コンピュータを、上記画像表示部で表示する画像の表示範囲の形状を、位置座標を指示することで指定する指定手段、上記指定手段で指定した表示範囲の形状に対応して、上記画像表示部で形成する画像を補正する画像補正手段、及び上記画像補正手段で補正した画像を上記画像表示部で表示させる表示制御手段として機能させることを特徴とする。
【符号の説明】
【００９５】
１…プロジェクタ、３…ポイントペン、３ａ，３ｂ…クリックキー、１１…入出力部、１２…画像変換部、１３…投影処理部、１４…マイクロミラー素子、１５…光源部、１６…ミラー、１７…投影レンズ部、１８…ＣＰＵ、１９…メインメモリ、２０…プログラムメモリ、２１…操作部、２２…音声処理部、２３…ポインタ通信部、２４…スピーカ部、２５…アンテナ、３１…受光レンズ系、３２…フォトトランジスタ、３３…Ａ／Ｄ変換部、３４…復調部、３５…座標算出部、３６…ＣＰＵ、３７…メインメモリ、３８…プログラムメモリ、３９…クリックキー部、４０…プロジェクタ通信部、４１…アンテナ、Ｂ…バス、ＰＩ…投影画像、ＰＴ…ポイントマーク、ＳＢ…システムバス。
【図１】
0006028372.tif 000002
【図２】
0006028372.tif 000003
【図３】
0006028372.tif 000004
【図４】
0006028372.tif 000005
【図５】
0006028372.tif 000006
【図６】
0006028372.tif 000007
【図７】
0006028372.tif 000008
【図８】
0006028372.tif 000009